(57)【要約】【課題】外観上目立ちにくく、幅広い音域を再生可能なスピーカ及びスピーカを備えた住宅システムを提供する。【解決手段】スピーカＳは、天井Ｄに設置されるスピーカＳであって、天井内空間Ｄ１に配置されるスピーカボックスＳＢと、スピーカボックスＳＢ内に配置されるスピーカ本体ＳＲと、スピーカボックスＳＢの下端部に設けられ、天井面Ｄ２に沿って配置されるスピーカ表面部ＳＦと、を備え、スピーカボックスＳＢの奥行寸法Ｌ１は、スピーカ本体ＳＲの口径Ｌ２の３倍以上であることを特徴とする。【選択図】図２
2017212486.tif 000002
【特許請求の範囲】
【請求項１】
天井に設置されるスピーカであって、
天井内空間に配置されるスピーカボックスと、
該スピーカボックス内に配置されるスピーカ本体と、
前記スピーカボックスの下端部に設けられ、天井面に沿って配置されるスピーカ表面部と、を備え、
前記スピーカボックスの奥行寸法は、前記スピーカ本体の口径の３倍以上であることを特徴とするスピーカ。
【請求項２】
音声信号を送信する送信装置と、
該送信装置から送信された信号を受信するレシーバーと、
該レシーバーに接続されたアンプと、
該アンプで増幅した音を出力する請求項１に記載のスピーカと、を備え、
前記スピーカが、同一空間内に複数設置されていることを特徴とする住宅システム。
【発明の詳細な説明】
【技術分野】
【０００１】
本発明は、スピーカ及びスピーカを備えた住宅システムに関するものである。
【背景技術】
【０００２】
近年、マンション等の集合住宅や戸建住宅等では、高い防音性が求められるとともに、省エネの観点から気密性が向上して、外部の交通騒音等が適切に遮断され、静かな環境が提供される傾向にある。その一方で、集合住宅のように生活時間帯や年齢層が異なる多種多様な住民が、一つの建物内に生活している場合には、他の住戸からの床衝撃音等の各種騒音や、給排水・電気設備系の騒音が、静かな環境では気になり不快に感じることがある。
【０００３】
また、室内が静か過ぎると、気分が滅入ってしまう場合があり、人に快適感を与えるような暗騒音をスピーカから送出させる暗騒音発生装置が提案されている（下記特許文献１参照）。
【先行技術文献】
【特許文献】
【０００４】
【特許文献１】特開平３−８５８９７号公報
【発明の概要】
【発明が解決しようとする課題】
【０００５】
しかしながら、上記の特許文献１に記載された暗騒音発生装置を単に室内に設置すると、目立ってしまい外観上好ましくない。また、スピーカの構成によっては低周波数の音を再生することが難しく、幅広い音域を再生可能なスピーカが望まれている。
【０００６】
そこで、本発明は、上記事情に鑑みてなされたものであり、外観上目立ちにくく、幅広い音域を再生可能なスピーカ及びスピーカを備えた住宅システムを提供する。
【課題を解決するための手段】
【０００７】
上記目的を達成するために、本発明は以下の手段を採用している。
すなわち、本発明に係るスピーカは、天井に設置されるスピーカであって、天井内空間に配置されるスピーカボックスと、該スピーカボックス内に配置されるスピーカ本体と、前記スピーカボックスの下端部に設けられ、天井面に沿って配置されるスピーカ表面部と、を備え、前記スピーカボックスの奥行寸法は、前記スピーカ本体の口径の３倍以上であることを特徴とする。
【０００８】
このように構成されたスピーカでは、スピーカボックスが天井内空間に配置されているため、スピーカボックスが目立たず、室内空間の視覚的品質を向上させることができる。
また、スピーカボックスの奥行寸法はスピーカ本体の口径の３倍以上であり、可能な限り大きな容積を確保している。そのため、適切にスピーカを選択し、取り付けることで、低い周波数を再生することができる。よって、幅広い音域を再生して、周囲の生活音や騒音をマスキングして、快適な音環境を提供することができる。さらに、スピーカボックスの奥行寸法に対して口径を小さく、つまりスピーカ表面部を小さくすることができるため、スピーカ表面部が目立たず、室内空間の視覚的品質を向上させることができる。
【０００９】
また、本発明に係るスピーカを備えた住宅システムでは、音声信号を送信する送信装置と、該送信装置から送信された信号を受信するレシーバーと、該レシーバーに接続されたアンプと、該アンプで増幅した音を出力する請求項１に記載のスピーカと、を備え、前記スピーカが、同一空間内に複数設置されていることを特徴とする。
【００１０】
このように構成された住宅システムでは、スピーカが同一空間内に複数設置されているため、音の発生方向（スピーカの位置）を認識しにくく、自然な暗騒音を再生することができる。
【発明の効果】
【００１１】
本発明に係るスピーカ及びスピーカを備えた住宅システムによれば、外観上目立ちにくく、幅広い音域を再生することができる。
【図面の簡単な説明】
【００１２】
【図１】本発明の一実施形態に係るスピーカを備えた住宅システムの平面図である。
【図２】本発明の一実施形態に係るスピーカの構成を示す図であり、（ａ）スピーカ表面部と反対側から見た図、（ｂ）天井に取り付けられた状態の図、（ｃ）スピーカ表面部側から見た図である。
【図３】本発明の一実施形態に係るスピーカの再生周波数特性を示すグラフである。
【発明を実施するための形態】
【００１３】
本発明の一実施形態に係るスピーカを備えた住宅システムについて、図面を用いて説明する。
図１は、本発明の一実施形態に係るスピーカを備えた住宅システムの平面図である。
図１は、スピーカＳが設置される住宅１の一例である。住宅１には、玄関２、玄関２に隣接して玄関ホール３及び玄関ホール３に隣接してＬＤＫ（リビング・ダイニング・キッチン）４が配置されている。また、ＬＤＫ４に隣接して居室５が配置され、居室５に隣接してクローゼット６が配置されている。また、ＬＤＫ４に隣接して寝室７が配置され、寝室７に隣接してクローゼット８，９が配置されている。また、玄関ホール３及び寝室７から出入り可能な洗面室１０が配置され、洗面室１０に隣接してトイレ１１及び浴室１２が配置されている。
なお、上記に示す住宅１の間取りは一例であり、適宜設定可能である。
【００１４】
住宅システム１００は、音声信号を送信する送信装置Ｔと、送信装置Ｔから送信された信号を受信するレシーバーＲと、レシーバーＲに接続されたアンプＡと、アンプＡで増幅した音を出力するスピーカＳと、送信装置Ｔを制御してスピーカＳで出力される音の種類、音量を調整するコントローラーＣと、を備えている。また、住宅システム１００の音源の系統は２種類あり、第一系統及び第二系統で構成されている。なお、図１において、第一系統は破線で示され、第二系統は実線で示されている。
【００１５】
送信装置Ｔとして、スマートフォンのような個人用の携帯コンピュータ機能を備えた装置や、タブレット型薄型コンピュータ等を採用すれば、無線で音声信号をレシーバーＲに送信することができる。また、送信装置Ｔとして、ＣＤプレーヤー等を採用すれば、有線により音声信号をレシーバーＲに送信することができる。
【００１６】
第一系統の送信装置Ｔ１（Ｔ）はＬＤＫ４に設置され、レシーバーＲ１（Ｒ）及びアンプＡ１（Ａ）はクローゼット６に設置されている。レシーバーＲ１及びアンプＡ１には、６個のスピーカＳ１，Ｓ２，Ｓ３，Ｓ４，Ｓ５，Ｓ６（Ｓ）が電気的に接続されている。スピーカＳ１は玄関２に設置され、スピーカＳ２は玄関ホール３に設置され、スピーカＳ３，Ｓ４，Ｓ５，Ｓ６はＬＤＫ４に設置されている。
【００１７】
スピーカＳ１，Ｓ２は、玄関２及び玄関ホール３において、玄関ドア２１と反対側に配置された壁２２付近に設けられている。また、スピーカＳ３，Ｓ４，Ｓ５，Ｓ６は、平面視で長方形の頂点を形成するように、ＬＤＫ４に設けられている。
【００１８】
第一系統のコントローラーＣ１（Ｃ）は、玄関ホール３の壁２２に沿って配置されている。
【００１９】
第二系統の送信装置Ｔ２（Ｔ）は寝室７に設置され、レシーバーＲ２（Ｒ）及びアンプＡ２（Ａ）はクローゼット９に設置されている。レシーバーＲ２及びアンプＡ２には、６個のスピーカＳ１１，Ｓ１２，Ｓ１３，Ｓ１４，Ｓ１５，Ｓ１６（Ｓ）が電気的に接続されている。スピーカＳ１１はトイレ１１に設置され、スピーカＳ１２は洗面室１０に設置され、スピーカＳ１３，Ｓ１４は寝室７に設置され、スピーカＳ１５，Ｓ１６は居室５に設置されている。
【００２０】
スピーカＳ１３，Ｓ１４は、寝室７において、ベッド７１と反対側の壁７２付近に設けられている。また、スピーカＳ１５，Ｓ１６は、居室５の対向する隅部５１，５２付近にそれぞれ設けられている。
【００２１】
第二系統のコントローラーＣ２（Ｃ）は、寝室７に配置されている。
なお、送信装置Ｔ、レシーバーＲ、アンプＡ、スピーカＳ及びコントローラーＣ等の設置位置は一例であり、設置位置は適宜設定可能である。
【００２２】
図２は、スピーカＳの構成を示す図であり、（ａ）スピーカ表面部と反対側から見た図、（ｂ）天井に取り付けられた状態の図、（ｃ）スピーカ表面部側から見た図である。
図２に示すように、スピーカＳは天井Ｄに設置されている。詳細には、スピーカボックスＳＢを天井内空間Ｄ１に配置するようにして、スピーカＳは配置されている。
【００２３】
また、スピーカボックスＳＢ内に、スピーカ本体ＳＲが配置されている。スピーカ本体ＳＲの表面側（スピーカボックスＳＢの下端部）には、保護・化粧用の保護部（スピーカ表面部）ＳＦが設けられている。保護部ＳＦは、天井面Ｄ２よりも下方で、天井面Ｄ２に沿って配置されている。本実施形態では、保護部ＳＦはメッシュ状に織り込まれた繊維により構成されている。保護部ＳＦの色は、天井面Ｄ２の色と同じであることが好ましい。
【００２４】
スピーカＳにおいて、スピーカボックスＳＢの奥行寸法Ｌ１は、スピーカ本体ＳＲの口径Ｌ２の３倍以上である。例えば、スピーカボックスＳＢの有効容積は約６００ｃｍ３であり、スピーカ本体ＳＲの口径は５０ｍｍである。つまり、スピーカＳは現実的なサイズでスピーカボックスＳＢの奥行方向の寸法を確保して、可能な限り低い周波数の音を再生可能な構成とされている。
【００２５】
図３は、スピーカＳの再生周波数特性を示すグラフである。
図３に示すように、１００Ｈｚ以上の周波数の音は概ね再生可能であることが分かる。
【００２６】
スピーカＳは、天井Ｄに形成された貫通孔Ｄ３に、スピーカボックスＳＢを下方から挿通して、スピーカボックスＳＢを天井内空間Ｄ１に配置して、螺子等の固定具ＳＤで天井Ｄ及びスピーカＳの固定板ＳＣを螺合することで、天井Ｄに固定されている。
【００２７】
住宅システム１００では、送信装置Ｔから、水が流れる音等の自然音、各種環境音、音楽等の音声信号を送信され、当該音声信号をレシーバーＲが受信して、アンプＡが増幅した音をスピーカＳに出力する。
【００２８】
また、再生する音源がいわゆる一般的なステレオ信号（Ｌ，Ｒチャンネル）であれば、ＬＤＫ４のように、一空間内に４つのスピーカＳをＬチャンネルスピーカとＲチャンネルスピーカとを、たすき掛け配置することが好ましい。
【００２９】
このように構成された住宅システム１００では、スピーカボックスＳＢが天井内空間Ｄ１に配置されているため、スピーカボックスＳＢが目立たず、室内空間の視覚的品質を向上させることができる。
【００３０】
また、スピーカボックスＳＢの奥行寸法はスピーカ本体ＳＲの口径の３倍以上であり、可能な限り大きな容積を確保している。そのため、適切にスピーカを選択し、取り付けることで、低い周波数を再生することができる。よって、幅広い音域を再生して、周囲の生活音や騒音をマスキングして、快適な音環境を提供することができる。さらに、スピーカボックスＳＢの奥行寸法に対して口径を小さく、つまりスピーカ表面部ＳＦを小さくすることができるため、スピーカ表面部ＳＦが目立たず、室内空間の視覚的品質を向上させることができる。
【００３１】
また、玄関２及び玄関２と連続する空間の玄関ホール３には、スピーカＳ１，Ｓ２が設置されている。また、ＬＤＫ４には、スピーカＳ３，Ｓ４，Ｓ５，Ｓ６が設置されている。また、寝室７には、スピーカＳ１３，Ｓ１４が設置されている。また、居室５には、スピーカＳ１５，Ｓ１６が設置されている。このように一空間内に複数のスピーカＳが設置されたり、隅部に設置されたりすることで、音が再生されるスピーカＳの位置（音の発生方向）が居住者に意識されにくく、自然な暗騒音を再生することができる。
【００３２】
また、コントローラーＣ１は玄関ホール３に配置されているため、居住者は玄関２から入ってきた直後等にコントローラーＣ１を調整して暗騒音を再生することができる。
【００３３】
また、音声信号が例えば４チャンネルで録音されていれば、その音源を４チャンネルで再生することで、より自然で違和感がない音環境を提供することができる。
【００３４】
また、再生する音は、繰り返しのない自然音とすることで、暗騒音を上昇させるとともに、居住者のリラクゼーション効果を狙うことができる。その一方で、居住者の好みの音楽等の再生も可能である。
【００３５】
なお、本発明に係る住宅システム１００は、上述した一実施形態に限定されるものではなく、本発明の要旨を逸脱しない範囲で適宜の変更や置換等が可能である。
【符号の説明】
【００３６】
Ａ…アンプ
Ｃ…コントローラー
Ｄ…天井
Ｄ１…天井内空間
Ｌ１…奥行寸法
Ｌ２…口径
Ｒ…レシーバー
Ｓ…スピーカ
ＳＦ…保護部（スピーカ表面部）
ＳＲ…スピーカ本体
１００…住宅システム
【図１】
2017212486.tif 000003
【図２】
2017212486.tif 000004
【図３】
2017212486.tif 000005